(57)【要約】  本発明は、タッチパネルディスプレイに表示される操作部に対する操作を行い易くする技術を提供するもので、傾き検出部は装置姿勢を検出する。タッチパネルディスプレイはタッチ操作で所定の処理が実行される操作部の画像を表示し、接触物の接触を検知する。制御部は、傾き検出部で検出される装置姿勢の変化に応じて、タッチパネルディスプレイにおける操作部の画像の表示位置を、情報処理装置が傾いた方向に移動させる。
2012161237.tif 000002
【特許請求の範囲】
【請求項１】
装置姿勢を検出する傾き検出部と、
タッチ操作で所定の処理が実行される操作部の画像を表示し、接触物の接触を検知するタッチパネルディスプレイと、
前記傾き検出部で検出される前記装置姿勢の変化に応じて、前記タッチパネルディスプレイにおける前記操作部の画像の表示位置を、当該情報処理装置が傾いた方向に移動させる制御部と、を有する情報処理装置。
【請求項２】
前記制御部は、前記傾き検出部で検出される前記装置姿勢の変化に応じて、前記操作部を、当該情報処理装置が傾いた方向の前記タッチパネルディスプレイの端部の限定領域に移動させる、請求項１に記載の情報処理装置。
【請求項３】
前記制御部は、前記操作部を移動させるとき、前記操作部の入力キーの形態を変化させる、請求項１または２に記載の情報処理装置。
【請求項４】
前記制御部は、前記操作部を移動させるとき、前記操作部の入力キーの形態を両手用文字入力キーから片手用文字入力キーに変化させる、請求項３に記載の情報処理装置。
【請求項５】
前記制御部は、移動後に表示する前記操作部の入力キーの形態を、前記情報処理装置が傾けられた角度に応じた形態に変化させる、請求項１から４のいずれか一項に記載の情報処理装置。
【請求項６】
前記制御部は、前記情報処理装置が傾けられた方向の端部に近接し、前記接触物が接触している位置の近傍の限定領域に前記操作部を移動する、請求項２に記載の情報処理装置。
【請求項７】
前記制御部は、前記操作部を移動すると共に縮小する、請求項１から６のいずれか一項に記載の情報処理装置。
【請求項８】
前記制御部は、前記タッチパネルディスプレイに所定のタッチ操作がされた後に、前記情報処理装置が傾けられると、前記操作部を移動すると共に縮小する、請求項７に記載の情報処理装置。
【請求項９】
装置姿勢を検出する傾き検出部と、タッチ操作で所定の処理が実行される操作部の画像を表示し、接触物の接触を検知するタッチパネルディスプレイと、を有する情報処理装置の制御方法であって、
前記傾き検出部で検出される前記装置姿勢の変化に応じて、前記タッチパネルディスプレイにおける前記操作部の画像の表示位置を、当該情報処理装置が傾いた方向に移動させる、情報処理装置の制御方法。
【請求項１０】
装置姿勢を検出する傾き検出部と、タッチ操作で所定の処理が実行される操作部の画像を表示し、接触物の接触を検知するタッチパネルディスプレイと、を有するコンピュータに実行させるための制御プログラムであって、
前記傾き検出部で検出される前記装置姿勢の変化に応じて、前記タッチパネルディスプレイにおける前記操作部の画像の表示位置を、当該情報処理装置が傾いた方向に移動させ手順をコンピュータに実行させるための制御プログラム。
【発明の詳細な説明】
【技術分野】
【０００１】
本発明は、タッチパネルディスプレイを備えた情報処理装置に関する。
【背景技術】
【０００２】
近年では、携帯電話機、スマートフォン、多機能携帯端末など、タッチパネルディスプレイを搭載した携帯電子機器が世界的に普及してきている。そして、そのディスプレイは大型化する傾向にあり、５〜１０インチなどの大画面の製品も多数登場している。【０００３】
この種の携帯電子機器では画面の大きさに応じてアイコンのようなオブジェクトの表示サイズが変わるので、大画面のタッチパネルディスプレイを搭載した携帯電子機器ではオブジェクトが大きく表示される。【０００４】
特許文献１では、機器を傾けることでオブジェクトの表示位置を移動させる技術や、オブジェクトの表示位置の移動に伴ってオブジェクトの表示サイズを変化させる技術が提案されている。
【先行技術文献】
【特許文献】
【０００５】
【特許文献１】特開２００９−２９４８５０号公報
【発明の概要】
【発明が解決しようとする課題】
【０００６】
上述したように、タッチパネルディスプレイを搭載した携帯電子機器では、画面が大きければ、そこに表示されるオブジェクトも大きくなる。しかしながら、タッチパネルディスプレイ上の入力キーの場合、表示サイズが大きいことが利便性の向上につながらないこともある。【０００７】
例えば、複数の入力キーを含む操作部が大きく表示された場合、所望の文字を入力するために指を動かす範囲が大きくなり、入力が行い難くなってしまうことがある。また、携帯電話機による片手での文字入力に慣れている人は、大型タッチパネルディスプレイの広範囲に表示されたＱＷＥＲＴＹキーボードを両手で用いて文字を入力するよりも片手での文字入力を好む場合がある。【０００８】
一方、上述した特許文献１に記載された技術はサムネイル画像の移動に関するものであり、機器を傾けることでサムネイル画像をアイコンの位置に移動させることで画像に対する処理を実行させることができるが、操作部の入力キーを操作が行う易いように配置することには寄与しない。【０００９】
本発明の目的は、タッチパネルディスプレイに表示される操作部に対する操作を行い易くする技術を提供することである。
【課題を解決するための手段】
【００１０】
上記目的を達成するために、本発明の情報処理装置は、
装置姿勢を検出する傾き検出部と、
タッチ操作で所定の処理が実行される操作部の画像を表示し、接触物の接触を検知するタッチパネルディスプレイと、
前記傾き検出部で検出される前記装置姿勢の変化に応じて、前記タッチパネルディスプレイにおける前記操作部の画像の表示位置を、当該情報処理装置が傾いた方向に移動させる制御部と、を有している。【００１１】
本発明の制御方法は、装置姿勢を検出する傾き検出部と、タッチ操作で所定の処理が実行される操作部の画像を表示し、接触物の接触を検知するタッチパネルディスプレイと、を有する情報処理装置の制御方法であって、
前記傾き検出部で検出される前記装置姿勢の変化に応じて、前記タッチパネルディスプレイにおける前記操作部の画像の表示位置を、当該情報処理装置が傾いた方向に移動させるというものである。【００１２】
本発明のプログラムは、装置姿勢を検出する傾き検出部と、タッチ操作で所定の処理が実行される操作部の画像を表示し、接触物の接触を検知するタッチパネルディスプレイと、を有するコンピュータに実行させるための制御プログラムであって、
前記傾き検出部で検出される前記装置姿勢の変化に応じて、前記タッチパネルディスプレイにおける前記操作部の画像の表示位置を、当該情報処理装置が傾いた方向に移動させ手順をコンピュータに実行させるためのものである。
【発明の効果】
【００１３】
本発明によれば、タッチパネルディスプレイに表示される操作部に対する操作を行い易くする技術を提供する。
【図面の簡単な説明】
【００１４】
【図１】本実施形態の情報処理装置の構成を示すブロック図である。
【図２】本実施形態の情報処理装置１０の概略的な動作を示すフローチャートである。
【図３】本実施形態の情報処理装置１０の具体的な動作例を示すフローチャートである。
【図４】操作部が表示中の情報処理装置１０の様子を示す図である。
【図５】情報処理装置１０が傾けられたときの様子を示す図である。
【図６】確認ウインドウを表示している情報処理装置１０の様子を示す図である。
【図７】操作部２１を縮小して移動したときの情報処理装置１０の様子を示す図である。
【図８】操作部２１の形態を変更して移動したときの情報処理装置１０の様子を示す図である。
【図９】操作部２１に含まれる入力キーの縮小の様子を示す図である。
【発明を実施するための形態】
【００１５】
本発明を実施するための形態について図面を参照して詳細に説明する。
【００１６】
図１は、本実施形態の情報処理装置の構成を示すブロック図である。図１を参照すると、情報処理装置１０は傾き検出部１１とタッチパネルディスプレイ１２と制御部１３を有している。情報処理装置１０は典型的な一例としてタブレット型の携帯電子機器である。
【００１７】
傾き検出部１１は、例えば加速度センサで構成され、情報処理装置１０の装置姿勢を検出し、検出した装置姿勢を示す姿勢情報を制御部１３に通知する。
【００１８】
タッチパネルディスプレイ１２は画像の表示を行うと共に接触物の接触の検知をも行う、入力装置と表示装置を兼ねた入力表示装置である。タッチパネルディスプレイ１２は、制御部１３からの制御に基づき、ＱＷＥＲＴＹキーやテンキーなどに代表される入力キーを含む操作部の画像を表示する。また、タッチパネルディスプレイ１２は、その操作部の入力キーに、ユーザの指などの接触物が接触すると、その接触を検知し、接触位置を示す接触位置情報を制御部１３に通知する。
【００１９】
制御部１３は、一例としてマイクロプロセッサを中心に構成され、一般的なコンピュータ装置と同様にＲＡＭおよびＲＯＭなどの記憶装置（不図示）を備えている。記憶装置に蓄積されたプログラムをマイクロプロセッサで実行することで、制御部１３は、以下の動作を含む各種動作を行う。また、その処理に利用されるデータや処理で生成されるデータは記憶装置に保持される。
【００２０】
制御部１３は、傾き検出部１１で検出される装置姿勢の変化に応じて、タッチパネルディスプレイ１２における操作部の画像の表示位置を、情報処理装置１０が傾いた方向のタッチパネルディスプレイ１２の端部に近接する限定領域に移動させる。限定領域は、例えば、情報処理装置１０を側方から把持している右手あるいは左手の親指で操作がし易い範囲とすればよい。例えば、左右いずれかの側方と手前側の角に近接、あるいはその角を含む領域が好適な一例である。
【００２１】
また、制御部１３は、タッチパネルディスプレイ１２からの接触位置情報に基づき操作部へのタッチ操作を検知し、所定のタッチ操作を検知すると、そのタッチ操作に応じた処理を実行する。例えば、ある文字キーへのタッチ操作が検知されれば、制御部１３は、その文字キーに対応する文字の入力処理を実行する。
【００２２】
図２は、本実施形態の情報処理装置１０の概略的な動作を示すフローチャートである。この情報処理装置１０の動作は基本的に制御部１３が制御している。
【００２３】
図２を参照すると、まず、情報処理装置１０は、タッチパネルディスプレイ１２に入力キーを含む操作部を表示中か否か判定する（ステップ１０１）。入力キーを含む操作部を表示中でなければ、情報処理装置１０は、操作部が表示されるまでステップ１０１の判定を繰り返す。
【００２４】
操作部が表示中であれば、次に、情報処理装置１０は傾き検出部１１からの姿勢情報に基づき、情報処理装置１０が傾けられたか否か判定する（ステップ１０２）。傾けられていなければ、情報処理装置１０は、傾けられたことが検出されるまでステップ１０２の処理を繰り返す。
【００２５】
情報処理装置１０は、傾けられたことを検出すると、タッチパネルディスプレイ１２に表示している操作部の入力キーなどを、傾けられた方向に移動する（ステップ１０３）。それ以降、情報処理装置１０は、新たな位置に表示された操作部の入力キーへの接触に基づいて処理を実行する。
【００２６】
以上説明したように、本実施形態では、情報処理装置１０は装置姿勢の変化に応じて、タッチパネルディスプレイ１２における操作部の画像の表示位置を、情報処理装置１０が傾いた方向の端部に近接する領域に移動させるので、ユーザが情報処理装置１０を傾けることで、タッチパネルディスプレイ１２上の操作部を、操作が容易な位置に移動させることができる。例えば片手での文字入力の操作が容易になる。
【００２７】
なお、本実施形態では、制御部１３は、操作部を限定領域に移動するとき、操作部の入力キーの形態を変化させてもよい。例えば、両手用入力キーであるＱＷＥＲＴＹキーから、携帯電話機で一般的に用いられているような片手用入力キーに変化させてもよい。これにより、ユーザは情報処理装置１０を傾けることで、タッチパネルディスプレイ１２の端部に近接する領域に、片手用入力キーを表示させることができるので、片手での操作が容易になる。
【００２８】
また、操作部の入力キーの移動に伴って、その形態を情報処理装置１０が傾けられた角度に応じた形態に変化させてもよい。例えば、３０度傾けた場合には入力キーを英語入力のキーに変化させ、６０度傾けた場合には入力キーを日本語入力のキーに変化させてもよい。ユーザは入力キーを操作し易い位置に移動させることができるだけでなく、所望の形態に変化させることもできる。
【００２９】
また、タッチパネルディスプレイ１２の左右何れかの側方の端部の近傍に、指などの接触物が接触している状態で情報処理装置１０がその側方に傾けられると、制御部１３は、情報処理装置１０が傾けられた方向の端部に近接し、接触物が接触している位置の近傍の限定領域に操作部を移動することにしてもよい。ユーザは入力キーを上下方向の位置についても操作し易い位置に移動させることができる。
【００３０】
また、制御部１３は、操作部を移動させる際、それと共に操作部を縮小することにしてもよい。あるいは、制御部１３は、単に情報処理装置１０が傾けられた場合には操作部をそのままのサイズで限定領域に移動し、タッチパネルディスプレイ１２に所定のタッチ操作がされた後に情報処理装置１０が傾けられた場合には操作部を縮小すると共に限定領域に移動することにしてもよい。ユーザは操作部を移動させるときに縮小させるかどうかを容易な操作で選択することができる。
【００３１】
また、制御部１３は、入力文字が表示された入力キーを含む操作部を縮小するとき、操作部の入力キーの縮小率よりも小さい縮小率で、その入力キーの入力文字を縮小することにしてもよい。そうすることで、操作部の入力キーを縮小したときにも、その入力キーの入力文字の視認性を維持することができる。
【００３２】
以下、本実施形態の情報処理装置１０の動作について詳細に説明する。
【００３３】
図３は、本実施形態の情報処理装置１０の具体的な動作例を示すフローチャートである。本動作例では、操作部を移動するときに同時に縮小するものとする。また、操作部を移動する前に、入力キーの表示を切り替えるか否かをユーザに確認するものとする。
【００３４】
図３を参照すると、情報処理装置１０は、まずタッチパネルディスプレイ１２に入力キーを含む操作部を表示中か否か判定する（ステップ２０１）。操作部を表示中でなければ、情報処理装置１０は、操作部が表示されるまでステップ２０１の判定を繰り返す。
【００３５】
図４は、操作部が表示中の情報処理装置１０の様子を示す図である。図４を見ると、タッチパネルディスプレイ１２には、両手で操作するＱＷＥＲＴＹキーの操作部２１が表示中である。
【００３６】
図４に例示したように操作部２１が表示中であれば、次に、情報処理装置１０は傾き検出部１１からの姿勢情報に基づき、情報処理装置１０が傾けられたか否か判定する（ステップ２０２）。傾けられていなければ、情報処理装置１０は、傾けられたことが検出されるまでステップ２０２の処理を繰り返す。
【００３７】
図５は、情報処理装置１０が傾けられたときの様子を示す図である。図５を見ると、情報処理装置１０が右側に傾けられている。
【００３８】
情報処理装置１０は、図５に例示したように、傾けられたことを検出すると、「入力キーの表示を切り替えるか？」というメッセージの確認ウインドウをタッチパネルディスプレイ１２に表示し、ユーザにＹＥＳかＮＯかの選択を求める（ステップ２０３）。確認ウインドウを表示するのは、ユーザが無意識に或いは誤って情報処理装置１０を傾けてしまったときに、意図しない誤作動を回避するためである。
【００３９】
なお、図５では、タッチパネルディスプレイ１２の表示面に平行な面内で、情報処理装置１０が時計回りに回転したことで、情報処理装置１０が右方向に傾けられたと判断する例が示されている。この例では、タッチパネルディスプレイ１２の表示面に平行な面内で、情報処理装置１０が反時計回りに回転した場合には情報処理装置１０が左方向に傾けられたと判断すればよい。
【００４０】
しかし、本発明がこれらの例に限定されるものではない。他の例として、情報処理装置１０が情報処理装置１０を、タッチパネルディスプレイ１２の表示面に平行な面内で表示面の上下方向に平行な直線を軸として回転したことで、傾けられたと判断することにしてもよい。例えば、その直線を軸として、情報処理装置１０の右側が下がるように回転したことで、情報処理装置１０が右方向に傾けられたと判断し、情報処理装置１０の左側が下がるように回転したことで、情報処理装置１０が左方向に傾けられたと判断すればよい。
【００４１】
図６は、確認ウインドウを表示している情報処理装置１０の様子を示す図である。図６を参照すると、タッチパネルディスプレイ１２の中央に、「入力キーの表示を切り替えるか？」というメッセージと、ＹＥＳかＮＯの選択を促す入力ボタンとを含む確認ウインドウ３１が表示されている。この確認ウインドウ３１は不透明のものであってもよく、あるいは下の画像が透過する半透明のものであってもよい。
【００４２】
ユーザがＮＯを選択した場合には情報処理装置１０は、確認ウインドウ３１を消してステップ２０１に戻る。一方、ユーザがＹＥＳを選択した場合、情報処理装置１０は、タッチパネルディスプレイ１２に表示している操作部２１を縮小すると共に、傾けられた方向に移動する（ステップ２０４）。
【００４３】
図７は、操作部２１を縮小して移動したときの情報処理装置１０の様子を示す図である。ここでは図５に示したように情報処理装置１０が右方向に傾けられたものとしている。図７を見ると、操作部２１は縮小すると共にその中心位置が右方向に移動し、右辺と下辺に近接する領域に表示されている。本実施形態においては、操作部２１の中心位置が移動していれば、同時に操作部２１が縮小、変形、回転などしていても、操作部２１の移動に含まれるものとする。
【００４４】
これ以降、情報処理装置１０は、新たな位置に表示された操作部２１の入力キーへの接触に基づいて処理を実行する。
【００４５】
なお、図７には、操作部２１のＱＷＥＲＴＹキーがそのまま縮小される例を示したが、移動に伴って操作部２１の入力キーの形態を変化させてもよい。図８は、操作部２１の形態を変更して移動したときの情報処理装置１０の様子を示す図である。図８を見ると、両手で操作するＱＷＥＲＴＹキーから、片手で操作する簡易型の入力キーに形態が変更され、右側に移動した操作部２１が示されている。
【００４６】
また、図７および図８では、操作部２１がタッチパネルディスプレイ１２の下側の隅に移動する例を示したが、本発明がこれに限定されるものではない。タッチパネルディスプレイ１２上の接触物が接触している位置の近傍に上下位置を合わせるように、操作部２１を移動することにしてもよい。
【００４７】
また、図８では、操作部２１が移動に伴って自動的に入力キーの形態が変化する例を示したが、本発明はこれに限定されるものではない。他の例として、その形態を情報処理装置１０が傾けられた角度に応じた形態に変化させてもよい。例えば、３０度傾けた場合には入力キーを英語入力のキーに変化させ、６０度傾けた場合には入力キーを日本語入力のキーに変化させてもよい。
【００４８】
また、図７および図８では、移動後の操作部２１が矩形の領域に表示される例を示したが、本発明がこれに限定されるものではない。片手で入力操作を行う場合には親指でのタッチ操作が想定されるので、移動後の操作部２１は親指でタッチ操作を行うことができる領域に表示することにしてもよい。また、その場合、親指でタッチ操作を行うことができる扇形領域に操作部２１を表示することにしてもよい。
【００４９】
また、図４から図７へと、操作部２１のＱＷＥＲＴＹキーを縮小して移動するとき、各文字の入力キーの入力文字の視認性を確保するために、入力キーの枠の縮小率よりも小さい縮小率で、その入力キーの枠内の入力文字を縮小することにしてもよい。図９は、操作部２１に含まれる入力キーの縮小の様子を示す図である。この例では、「Ｑ」を入力するための入力キー４１の縮小率よりも小さい縮小率で、その入力キーの枠内のＱの入力文字４２が縮小されている。
【００５０】
また、上述した実施形態では、操作部２１の一例として文字入力のための入力キーで構成されたものを説明に用いたが、本発明がこれに限定されるものではない。電子ブックのページめくりを行うためのキーなど任意の入力キーに本発明を適用することができる。
【００５１】
また、上述の実施形態では、自動的に下側の隅に移動する、あるいは接触物が接触している位置の上下位置に移動するといったように、移動後の操作部２１の上下方向の表示位置を左右方向の表示位置と同時に１回のアクションで決める例を示した。しかしながら、本発明がこれに限定されるものではない。左側あるいは右側に移動した操作部２１をその後で更に上下方向に移動させることができてもよい。既に操作部２１が左側あるいは右側に移動しているので、一例として、タッチパネルディスプレイ１２へのドラッグ操作で操作部２１を上限方向に移動させることにしてもよい。また、他の例として、タッチパネルディスプレイ１２の表示面に平行な面内でタッチパネルディスプレイ１２の左右方向に平行な直線を軸として、情報処理装置１０を回転させると、操作部２１が上下方向に移動することにしてもよい。
【００５２】
また、上述の実施形態では、操作部２１を縮小する場合には左側あるいは右側への移動と同時に１回のアクションで所定の表示サイズに縮小する例を示したが、本発明がこれに限定されるものではない。他の例として、操作部２１を左側あるいは右側に移動した後、あるいは操作部２１を所定の表示サイズに縮小しつつ左側あるいは右側に移動した後、その表示サイズを任意に変更することができてもよい。一例として、タッチパネルディスプレイ１２へのドラッグ操作で操作部２１の表示サイズが変化することにしてもよい。また、他の例として、タッチパネルディスプレイ１２の表示面に平行な面内でタッチパネルディスプレイ１２の左右方向に平行な直線を軸として、情報処理装置１０を回転させると、操作部２１の表示サイズが変化することにしてもよい。
【００５３】
１回のアクションで移動および縮小を同時に行う構成では、移動および縮小を行って使いやすい操作部２１に変化させるのにかかる時間を短縮することができるという効果がある。一方、移動と縮小を別のアクションで行える構成では、表示サイズを任意に調整することができ、ユーザが自分の使いやすい表示サイズに操作部２１を変化させることができる。
【００５４】
本実施形態では、典型的な一例としてタブレット型の携帯電子機器を説明に用いたが、本発明がそれに限定されるものではない。本発明は、携帯電話機、スマートフォン、携帯オーディオ、ＰＤＡ（Ｐｅｒｓｏｎａｌ  Ｄｉｇｉｔａｌ  Ａｓｓｉｓｔａｎｔ）、ネットブック、電子書籍リーダ、多機能端末、タブレット型パーソナルコンピュータ等に広く適用することができる。
【００５５】
なお、上述した実施形態における情報処理装置１０の制御部１３は、その処理手順を規定したソフトウェアプログラムをコンピュータに実行させることにより実現することもできる。
【００５６】
また、上記の実施形態の一部又は全部は以下の付記のように記載することもできる。ただし、本発明は以下の付記に限定されるものではない。
【００５７】
（付記１）
装置姿勢を検出する傾き検出部と、
タッチ操作で所定の処理が実行される操作部の画像を表示し、接触物の接触を検知するタッチパネルディスプレイと、
前記傾き検出部で検出される前記装置姿勢の変化に応じて、前記タッチパネルディスプレイにおける前記操作部の画像の表示位置を、当該情報処理装置が傾いた方向に移動させる制御部と、を有する情報処理装置。
【００５８】
（付記２）
前記制御部は、前記傾き検出部で検出される前記装置姿勢の変化に応じて、前記操作部を、当該情報処理装置が傾いた方向の前記タッチパネルディスプレイの端部の限定領域に移動させる、付記１に記載の情報処理装置。
【００５９】
（付記３）
前記制御部は、前記操作部を移動させるとき、前記操作部の入力キーの形態を変化させる、付記１または２に記載の情報処理装置。
【００６０】
（付記４）
前記制御部は、前記操作部を移動させるとき、前記操作部の入力キーの形態を両手用文字入力キーから片手用文字入力キーに変化させる、付記３に記載の情報処理装置。
【００６１】
（付記５）
前記制御部は、移動後に表示する前記操作部の入力キーの形態を、前記情報処理装置が傾けられた角度に応じた形態に変化させる、付記１から４のいずれか一項に記載の情報処理装置。
【００６２】
（付記６）
前記制御部は、前記情報処理装置が傾けられた方向の端部に近接し、前記接触物が接触している位置の近傍の限定領域に前記操作部を移動する、付記２に記載の情報処理装置。
【００６３】
（付記７）
前記制御部は、前記操作部を移動すると共に縮小する、付記１から６のいずれか一項に記載の情報処理装置。
【００６４】
（付記８）
前記制御部は、前記タッチパネルディスプレイに所定のタッチ操作がされた後に、前記情報処理装置が傾けられると、前記操作部を移動すると共に縮小する、付記７に記載の情報処理装置。
【００６５】
（付記９）
前記制御部は、入力文字が表示された入力キーを含む操作部を縮小するとき、入力キーの縮小率よりも小さい縮小率で該入力キーの入力文字を縮小する、付記７または８に記載の情報処理装置。
【００６６】
（付記１０）
装置姿勢を検出する傾き検出部と、タッチ操作で所定の処理が実行される操作部の画像を表示し、接触物の接触を検知するタッチパネルディスプレイと、を有する情報処理装置の制御方法であって、
前記傾き検出部で検出される前記装置姿勢の変化に応じて、前記タッチパネルディスプレイにおける前記操作部の画像の表示位置を、当該情報処理装置が傾いた方向に移動させる、情報処理装置の制御方法。
【００６７】
（付記１１）
装置姿勢を検出する傾き検出部と、タッチ操作で所定の処理が実行される操作部の画像を表示し、接触物の接触を検知するタッチパネルディスプレイと、を有するコンピュータに実行させるための制御方法であって、
前記傾き検出部で検出される前記装置姿勢の変化に応じて、前記タッチパネルディスプレイにおける前記操作部の画像の表示位置を、当該情報処理装置が傾いた方向に移動させ手順をコンピュータに実行させるためのプログラム。
【００６８】
この出願は２０１１年５月２４日に出願された日本出願特願２０１１−１１５８８５号を基礎とする優先権を主張し、その開示の全てをここに取り込む。
【符号の説明】
【００６９】
１０  情報処理装置
１１  傾き検出部
１２  タッチパネルディスプレイ
１３  制御部
２１  操作部
３１  確認ウインドウ
４１  入力キー
４２  入力文字
【図１】
2012161237.tif 000003
【図２】
2012161237.tif 000004
【図３】
2012161237.tif 000005
【図４】
2012161237.tif 000006
【図５】
2012161237.tif 000007
【図６】
2012161237.tif 000008
【図７】
2012161237.tif 000009
【図８】
2012161237.tif 000010
【図９】
2012161237.tif 000011
【国際調査報告】
2012161237.tif 000012
2012161237.tif 000013